(57)【要約】【課題】  セキュリティの設定が行われているBOXからの印刷や機密情報の指定がされている印刷データの印刷においてもデータ内にハードディスクへの登録データや一時退避データがある場合、セキュリティ管理されていないハードディスクにデータが残ってしまう場合がある。また、これらのデータが印刷後に消去されたとしても、実際にはファイル管理領域が消去されただけで実データは消されずに残ってしまう場合もある。【解決手段】  セキュリティ管理を要求する印刷データやセキュリティ管理されたBOX上の印刷データを印刷するときには印刷データ内部の登録データ及びテンポラリデータを暗号化された2時記憶装置に格納し、そうではない印刷データに関しては暗号化されていない領域に登録データを格納する。【選択図】  図３
2008149631.tif 000002
【特許請求の範囲】
【請求項１】
セキュリティ保護されたBOXから印刷データを印刷する画像処理システムにおいて、
印刷データを印刷する上で2次記憶装置に印刷データ中の登録データを記録する手段と、
該記録時に登録先の2次記憶装置がセキュリティ管理されているかを確認する手段と、されていない場合に、警告を出して印刷を中止する手段を有する画像処理装置。
【請求項２】
セキュリティ保護されたBOXから印刷データを印刷する画像処理システムにおいて、
印刷データを印刷する上で2次記憶装置に印刷データ中の登録データを記録する手段と、
該登録時に登録先の2次記憶装置がセキュリティ管理されているかをチェックする手段と、されていない場合、セキュリティ管理されている領域へ保存領域を切り替える手段を有する画像処理システム。
【請求項３】
請求項2記載のシステムにおいて、2次記憶装置内がセキュリティ管理されている領域とされていない領域に分かれていることを特徴とする画像処理システム
【請求項４】
請求項３記載のシステムにおいて、セキュリティ保護がされていないBOXからの印刷の際には登録データの格納先に暗号化されていない2次記憶装置を使用する手段を有する画像処理システム。
【請求項５】
印字データ内に機密情報指定を行うことができるシステムにおいて、
印刷データを印刷する上で2次記憶装置に印刷データ中の登録データを記録する手段と、
該記録時に登録先の2次記憶装置がセキュリティ管理されているかを確認する手段と、されていない場合に、警告を出して印刷を中止する手段を有する画像処理装置。
【請求項６】
印字データ内に機密情報指定を行うことができるシステムにおいて、
印刷データを印刷する上で2次記憶装置に印刷データ中の登録データを記録する手段と、
該登録時に登録先の2次記憶装置がセキュリティ管理されているかをチェックする手段と、
されていない場合、セキュリティ管理されている領域へ保存領域を切り替える手段を有する画像処理システム。
【請求項７】
請求項６記載のシステムにおいて、2次記憶装置内がセキュリティ管理されている領域とされていない領域に分かれていることを特徴とする画像処理システム。
【請求項８】
請求項７記載のシステムにおいて、印字データ内に機密情報指定がされていない印刷データの印刷の際には登録データの格納先に暗号化されていない2次記憶装置を使用する手段を有する画像処理システム。
【請求項９】
セキュリティ保護されたBOXから印刷データを印刷する画像処理システムにおいて、
印刷データを印刷する上で2次記憶装置に一時的にデータを退避させる手段と、
該記録時に登録先の2次記憶装置がセキュリティ管理されているかを確認する手段と、されていない場合に、警告を出して印刷を中止する手段を有する画像処理装置。
【請求項１０】
セキュリティ保護されたBOXから印刷データを印刷する画像処理システムにおいて、
印刷データを印刷する上で2次記憶装置に印刷データ中のデータを一時的にデータを退避させる手段と、
該登録時に登録先の2次記憶装置がセキュリティ管理されているかをチェックする手段と、されていない場合、セキュリティ管理されている領域へ保存領域を切り替える手段を有する画像処理システム。
【請求項１１】
請求項１０記載のシステムにおいて、2次記憶装置内がセキュリティ管理されている領域とされていない領域に分かれていることを特徴とする画像処理システム。
【請求項１２】
請求項１１記載のシステムにおいて、セキュリティ保護がされていないBOXからの印刷の際には一時的に退避されるデータの格納先に暗号化されていない2次記憶装置を使用する手段を有する画像処理システム。
【請求項１３】
印字データ内に機密印刷情報指定を行うことができるシステムにおいて、
印刷データを印刷する上で2次記憶装置に一時的にデータを退避させる手段と、
該記録時に登録先の2次記憶装置がセキュリティ管理されているかを確認する手段と、されていない場合に、警告を出して印刷を中止する手段を有する画像処理装置。
【請求項１４】
印字データ内に機密印刷情報指定を行うことができるシステムにおいて、
印刷データを印刷する上で2次記憶装置に一時的にデータを退避させる手段と、
該登録時に登録先の2次記憶装置がセキュリティ管理されているかをチェックする手段と、されていない場合、セキュリティ管理されている領域へ保存領域を切り替える手段を有する画像処理システム。
【請求項１５】
請求項１４記載のシステムにおいて、2次記憶装置内がセキュリティ管理されている領域とされていない領域に分かれていることを特徴とする画像処理システム。
【請求項１６】
請求項１５記載のシステムにおいて、印字データ内に機密情報指定がされていない印刷データの印刷の際には一時的に退避されるデータの格納先に暗号化されていない2次記憶装置を使用する手段を有する画像処理システム。
【請求項１７】
セキュリティ保護されたBOXから印刷データを印刷する画像処理システムにおいて、
印刷データを印刷する上で2次記憶装置に印刷データ中の登録データを記録する手段と、
該記録時に登録先の2次記憶装置がセキュリティ管理されているかを確認する手段と、されていない場合に、該登録データを暗号化して格納する手段と、
レンダリング時に暗号化された登録データを翻訳する手段を有する画像処理装置。
【請求項１８】
印字データ内に機密印刷情報指定を行うことができるシステムにおいて、
印刷データを印刷する上で2次記憶装置に印刷データ中の登録データを記録する手段と、
該記録時に登録先の2次記憶装置がセキュリティ管理されているかを確認する手段と、されていない場合に、該登録データを暗号化して格納する手段と、
レンダリング時に暗号化された登録データを翻訳する手段を有する画像処理装置。
【請求項１９】
セキュリティ保護されたBOXから印刷データを印刷する画像処理システムにおいて、
印刷データを印刷する上で2次記憶装置に一時的にデータを退避させる手段と、
該記録時に登録先の2次記憶装置がセキュリティ管理されているかを確認する手段と、されていない場合に、一時的に退避するデータを暗号化して格納する手段と、
暗号化された退避データを読み出す際に翻訳する手段を有する画像処理装置。
【請求項２０】
印字データ内に機密印刷情報指定を行うことができるシステムにおいて、
印刷データを印刷する上で2次記憶装置に一時的にデータを退避させる手段と、
該記録時に登録先の2次記憶装置がセキュリティ管理されているかを確認する手段と、されていない場合に、一時的に退避するデータを暗号化して格納する手段と、
暗号化された退避データを読み出す際に翻訳する手段を有する画像処理装置。
【発明の詳細な説明】
【技術分野】
【０００１】
画像処理システム
【背景技術】
【０００２】
印刷データがセキュリティ管理されたBOXに格納されているか機密データ指定がされている場合でも印刷データ内の登録データを登録する際に特に格納先のセキュリティ状況を判別せず登録していた。
【０００３】
また、印字データ中にサイズの大きなイメージデータがあった場合RAMに格納するスペースがなかったり、RAM上に空きメモリ領域が必要になった場合などテンポラリスペースとして２次記憶装置にデータを退避していたがこの場合も特に格納先のセキュリティ状況について判別せずにいた。
【０００４】
従来例としては、例えば特許文献１をあげることが出来る。
【特許文献１】特開平１１−２４９８４８0号公報
【発明の開示】
【発明が解決しようとする課題】
【０００５】
セキュリティの設定が行われているBOXからの印刷や機密情報の指定がされている印刷データの印刷においてもデータ内にハードディスクへの登録データや一時退避データがある場合、セキュリティ管理されていないハードディスクにデータが残ってしまう場合がある。また、これらのデータが印刷後に消去されたとしても、実際にはファイル管理領域が消去されただけで実データは消されずに残ってしまう場合もある。
【０００６】
全ての領域について暗号化されているものは上記の問題は発生しないがアクセス時のパフォーマンスの低下が発生する可能性があるため、全ての領域において暗号化処理がされているとは限らない。
【０００７】
また、全ての領域を暗号化してしまうと暗号化しなくても良い印刷物まで暗号化を行うことによりパフォーマンスの低下を招く。
【課題を解決するための手段】
【０００８】
セキュリティ管理を要求する印刷データやセキュリティ管理されたBOX上の印刷データを印刷するときには印刷データ内部の登録データ及びテンポラリデータを暗号化された2時記憶装置に格納し、そうではない印刷データに関しては暗号化されていない領域に登録データを格納する。
【発明の効果】
【０００９】
本発明によればセキュリティ管理された印字データを印刷する際に登録データなど2次記憶装置に格納されるデータの格納先を暗号化されているものを使用することによりよりセキュリティを高めることが出来、またセキュリティ管理が必要の無い印刷データに関しては暗号化されていない2次記憶装置を使用することにより高速化印字を行うことができる。
【発明を実施するための最良の形態】
【００１０】
（実施例1）
図１は、本発明を適用したプリンタ機能、コピー機能、ファクシミリ機能を有する複合印刷装置（以下、ＭＦＰ：Ｍｕｌｔｉ  Ｆｕｎｃｔｉｏｎ  Ｐｒｏｄｕｃｔという）の内部構造を示す断面図である。
【００１１】
図１において、１００はＭＦＰであり、ネットワークを介して印字データを受取り印刷するネットワークプリンタとして使用することができる。また、ＭＦＰ１００は、電話回線にも接続されており、ファクシミリ装置としても使用でき、更に、単体でもコピー機として使用することができる。
【００１２】
１２１は、操作パネルであり、操作のためのスイッチ、及びＭＦＰ１００の状態等を表示する液晶タッチパネルで構成されている。１０１は、ＭＦＰ１００を統御する制御ユニットである。
【００１３】
レーザ・ドライバ５０２は、半導体レーザ発振器５０３を駆動するための回路であり、入力されたビデオ信号に応じて半導体レーザ発振器５０３から発射すべきレーザビーム５０４をオン・オフ切替する。レーザビーム５０４は、回転多面鏡５０５で左右方向に振られて静電ドラム５０６上を走査することにより、静電ドラム５０６上に静電潜像を形成する。この静電潜像は、静電ドラム５０６の周囲に配備された現像ユニット（トナーカートリッジ）５０７によって現像された後、記録用紙に転写される。
【００１４】
この記録用紙としては、カット・シートを用い、カット・シートは、ＭＦＰ１００に装着した給紙カセット１０８、１０９、１１０及び１１１に収納され、給紙ローラ１１３，１１４，１１５，及び１１６により装置内に取込まれ、用紙搬送ローラ１１２によって用紙搬送ベルト１１７に乗せられて像形成・現像機構を通過する。
【００１５】
記録用紙に転写されたトナー（粉末インク）は、定着器１１８で熱と圧力により記録用紙に定着される。このトナー定着がなされた記録用紙は、搬送ローラ１１９，１２０によってＭＦＰ１００の外部に排紙される。
【００１６】
１２２は、スキャナであり、原稿をセットして操作パネル１２１からコピーを指示すると、原稿は原稿台に取込まれてハロゲンランプ（不図示）で露光され、その反射像が撮像される。撮像された像は、Ａ／Ｄ変換されて制御ユニット５０１に送られ、必要な処理を施されてビデオ信号となり、レーザ・ドライバ５０２に入力される。
【００１７】
また、外部ネットワークを通して印刷データが送信されてくると、印字データは制御ユニット５０１内で解析されてビデオ信号となり、レーザ・ドライバ５０２に入力される。
【００１８】
また、電話回線からファクシミリのデータが送信されてくると、それはモデム５２３を経由して制御ユニット５０１に取り込まれ、ビデオ信号に変換されてレーザ・ドライバ５０２に入力される。
【００１９】
図２は、図１に示したＭＦＰ１００の制御ユニット５０１の概略構成を示すブロック図である。
【００２０】
201はコントローラボードの本体を示す。
【００２１】
101はホストコンピュータであり印字データを転送してくる。また、プリンタドライバを内蔵し、PDLまたはコントローラ201がPDLより生成する内部コードを直接印字データとして送信する。
【００２２】
印字データは入力インターフェース部203を介して取り込まれる。
【００２３】
操作パネル121からコピーの実行が指示されるとスキャナ122で読み取られたイメージはスキャナインタフェース部204を介して取り込まれ、ＣＰＵ202で必要な処理を施されてドットデータに変換される。
【００２４】
生成されたドットデータは出力インターフェース部209を介して印刷機構本体部104に送られ、実際に印刷される。ここで施される処理とは、例えばスキャナ122の読み取り解像度から印刷機構部104の印刷解像度への変換や、印刷機構部104の用紙の搬送方向に合わせた回転処理などである。
【００２５】
210はハードディスクであり印字データ中のダウンロードフォント、オーバーレイなどの登録データやイメージデータなどのデータサイズの大きいなどの理由で一時的にRAM上から退避させたいテンポラリデータを記憶させるための2次記憶装置である。また、ハードディスク210は本特許においては請求項第3項にあるように内部的に暗号化された領域とされていない領域を持つ。
【００２６】
電話回線に接続されたモデム523からファクシミリのデータを受け付けるとそれはＣＰＵ202で処理され、ドットデータに変換される。生成されたドットデータは出力インターフェース部209を介して印刷機構本体部104に送られ、実際に印刷される。ここで行なわれる処理とは例えばハフマン圧縮された印字データの伸長などである。
【００２７】
ＣＰＵ202によるこれら一連の処理の処理手順は全てＲＯＭ206内にプログラムされており、このプログラムに従ってＣＰＵ202は動作する。
【００２８】
本実施例では変換された画像イメージはRAM208に格納される。蓄えられた画像イメージは出力インターフェース部209を通して印刷機構本体部104に送られ、実際に印刷される。
【００２９】
また、ホストコンピュータ101やスキャナ122、及びモデム523からのデータはＲＡＭ208上に蓄えられて必要な処理が施される。
【００３０】
205は一般のＥＥＰＲＯＭ等で構成する不揮発性メモリであり、以後ＮＶＲＡＭ(Non Volatile RAM)と称す。ＮＶＲＡＭ205には操作パネル121で指定されたパネル設定値が記憶される。
【００３１】
図3は本発明における請求項第1項の各手段を有する画像処理装置の動作を説明するフローチャートであり、印刷時に於けるコントローラボード201の動作を説明したものである。
【００３２】
コントローラボード201において印刷処理を開始する。（S301）
印刷データを解析し、（S302）
その中に登録データがあれば、(S303)
印刷データがセキュリティで管理されているBOXに格納されていたかを確認する。（S304）
印刷データがセキュリティで管理されているBOXに格納されていたならば、登録データの格納先が暗号化されているかを確認する。(S305)
暗号化されていなければ、エラーをパネルに表示する。本実施例においてはパネル上に表示しているがエラーログ等に記録しても良い。（S306）
印刷を中止する。(S307)
暗号化されているならば、登録データを格納し印字データの解析を続け、（S308）
印字イメージを作成する。（S309）
印字イメージが作成されたら、印字イメージを印刷機構部104に送信し印刷を行う。（S310）
図4は本発明における請求項第2項及び第3項、第4項の各手段を有する画像処理装置の動作を説明するフローチャートであり、印刷時に於けるコントローラボード201の動作を説明したものである。
【００３３】
コントローラボード201において印刷処理を開始する。(S401)
印刷データを解析し、(S402)
その中に登録データがあれば、(S403)
印刷データがセキュリティで管理されているBOXに格納されていたかを確認する。(S404)
印字データがセキュリティで管理されているBOXに格納されていたならば、登録データの格納先が暗号化されているかを確認する。(S405)
暗号化されていなければ、エラーをパネルに表示し、(S406)
印刷を中止する。(S407)
暗号化されているならば、登録データを格納し印字データの解析を続け、（S408）
印字イメージを作成する。（S412）
印字イメージが作成されたら、印字イメージを印刷機構部104に送信し印刷を行う。（S413）
印刷データがセキュリティ管理されているBOXに格納されていなかったならば、暗号化されていない登録データの格納先があるかを確認する。(S409)
あるならば、暗号化されていない格納領域に登録データを格納する。(S410)
暗号化された格納領域しかないならば、暗号化された格納された格納領域に登録データを格納する。(S411)
印刷データの解析を進め印字イメージを作成する。（S412）
印字イメージが作成されたら、印字イメージを印刷機構部104に送信し印刷を行う。（S413）
図5は本発明における請求項第5項の各手段を有する画像処理装置の動作を説明するフローチャートであり、印刷時に於けるコントローラボード201の動作を説明したものである。
【００３４】
コントローラボード201において印刷処理を開始する。（S501）
印刷データを解析し、（S502）
その中に登録データがあれば、(S503)
印刷データ内に機密情報指定があるかを確認する。（S504）
印刷データ内に機密情報指定がされていたならば、登録データの格納先が暗号化されているかを確認する。(S505)
暗号化されていなければ、エラーをパネルに表示し、（S506）
印刷を中止する。(S507)
暗号化されているならば、登録データを格納し印字データの解析を続け、（S508）
印字イメージを作成する。（S509）
印字イメージが作成されたら、印字イメージを印刷機構部104に送信し印刷を行う。（S510）
図6は本発明における請求項第6項及び第7項、第8項の各手段を有する画像処理装置の動作を説明するフローチャートであり、印刷時に於けるコントローラボード201の動作を説明したものである。
【００３５】
コントローラボード201において印刷処理を開始する(S601)
印刷データを解析し、(S602)
その中に登録データがあれば、(S603)
印刷データ内に機密情報指定があるかを確認する。(S604)
印刷データ内に機密情報指定がされていたならば、登録データの格納先が暗号化されているかを確認する。(S605)
暗号化されていなければ、エラーをパネルに表示し、(S606)
印刷を中止する。(S607)
暗号化されているならば、登録データを格納し印字データの解析を続け、（S608）
印字イメージを作成する。（S612）
印字イメージが作成されたら、印字イメージを印刷機構部104に送信し印刷を行う。（S613）
印刷データ内に機密情報指定がされていなかったならば、暗号化されていない登録データの格納先があるかを確認する。(S609)
あるならば、暗号化されていない格納領域に登録データを格納する。(S610)
暗号化された格納領域しかないならば、暗号化された格納された格納領域に登録データを格納する。(S611)
印刷データの解析を進め印字イメージを作成する。（S612）
印字イメージが作成されたら、印字イメージを印刷機構部104に送信し印刷を行う。（S613）
図7は本発明における請求項第10項及び第11項、第12項の各手段を有する画像処理装置の動作を説明するフローチャートであり、印刷時に於けるコントローラボード201の動作を説明したものである。
【００３６】
コントローラボード201において印刷処理を開始する(S701)
印刷データを解析し、(S702)
一時的にハードディスクに退避するテンポラリデータがあれば、(S703)
印刷データがセキュリティで管理されているBOXに格納されていたかを確認する。(S704)
印字データがセキュリティで管理されているBOXに格納されていたならば、一時的にハードディスクに退避するテンポラリデータの格納先が暗号化されているかを確認する。(S705)
暗号化されていなければ、エラーをパネルに表示し、(S706)
印刷を中止する。(S707)
暗号化されているならば、一時的にハードディスクに退避するテンポラリデータを格納し印字データの解析を続け、（S708）
印字イメージを作成する。（S712）
印字イメージが作成されたら、印字イメージを印刷機構部104に送信し印刷を行う。（S713）
印刷データがセキュリティ管理されているBOXに格納されていなかったならば、暗号化されていない一時的にハードディスクに退避するテンポラリデータの格納先があるかを確認する。(S709)
あるならば、暗号化されていない格納領域に一時的にハードディスクに退避するテンポラリデータを格納する。(S710)
印刷データの解析を進め印字イメージを作成する。（S712）
印字イメージが作成されたら、印字イメージを印刷機構部104に送信し印刷を行う。（S713）
暗号化された格納領域しかないならば、暗号化された格納された格納領域に一時的にハードディスクに退避するテンポラリデータを格納する。(S711)
印刷データの解析を進め印字イメージを作成する。（S712）
印字イメージが作成されたら、印字イメージを印刷機構部104に送信し印刷を行う。（S713）
図8は本発明における請求項第14項及び第15項、第16項の各手段を有する画像処理装置の動作を説明するフローチャートであり、印刷時に於けるコントローラボード201の動作を説明したものである。
【００３７】
コントローラボード201において印刷処理を開始する(S801)
印刷データを解析し、(S802)
一時的にハードディスクに退避するテンポラリデータがあれば、(S803)
印刷データ内に機密情報指定があるかを確認する。(S804)
印刷データ内に機密情報指定がされていたならば、一時的にハードディスクに退避するテンポラリデータの格納先が暗号化されているかを確認する。(S805)
暗号化されていなければ、エラーをパネルに表示し、(S806)
印刷を中止する。(S807)
暗号化されているならば、一時的にハードディスクに退避するテンポラリデータを格納し印字データの解析を続け、（S808）
印字イメージを作成する。（S812）
印字イメージが作成されたら、印字イメージを印刷機構部104に送信し印刷を行う。（S813）
印刷データ内に機密情報指定がされていなかったならば、暗号化されていない一時的にハードディスクに退避するテンポラリデータの格納先があるかを確認する。(S809)
あるならば、暗号化されていない格納領域に一時的にハードディスクに退避するテンポラリデータを格納する。(S810)
印刷データの解析を進め印字イメージを作成する。（S812）
印字イメージが作成されたら、印字イメージを印刷機構部104に送信し印刷を行う。（S813）
暗号化された格納領域しかないならば、暗号化された格納された格納領域に一時的にハードディスクに退避するテンポラリデータを格納する。(S811)
印刷データの解析を進め印字イメージを作成する。（S812）
印字イメージが作成されたら、印字イメージを印刷機構部104に送信し印刷を行う。（S813）
（実施例２）
実施例2は図1、図2に示されるMFP上のコントローラボード201上で動作する実施例であり、請求項第17項、第18項、第19項、第20項の動作を表す。
【００３８】
図9は本発明における請求項第17項の各手段を有する画像処理装置の動作を説明するフローチャートであり、印刷時に於けるコントローラボード201の動作を説明したものである。
【００３９】
コントローラボード201において印刷処理を開始する(S901)
印刷データを解析し、(S902)
その中に登録データがあれば、(S903)
印刷データがセキュリティで管理されているBOXに格納されていたかを確認する。(S904)
印字データがセキュリティで管理されているBOXに格納されていたならば、登録データの格納先が暗号化されているかを確認する。(S905)
登録先が暗号化されていなければ登録データを暗号化し、(S906)
非暗号化領域に格納する。(S907)
レンダリング時に暗号化された登録データを翻訳し使用し、(S912)
印字イメージを作成する。（S913）
印字イメージが作成されたら、印字イメージを印刷機構部104に送信し印刷を行う。（S914）
暗号化されているならば、登録データを格納し印字データの解析を続け、（S908）
印字イメージを作成する。（S913）
印字イメージが作成されたら、印字イメージを印刷機構部104に送信し印刷を行う。（S914）
印刷データがセキュリティ管理されているBOXに格納されていなかったならば、暗号化されていない登録データの格納先があるかを確認する。(S909)
あるならば、暗号化されていない格納領域に登録データを格納する。(S910)
印刷データの解析を進め印字イメージを作成する。（S913）
印字イメージが作成されたら、印字イメージを印刷機構部104に送信し印刷を行う。（S914）
暗号化された格納領域しかないならば、暗号化された格納された格納領域に登録データを格納する。(S911)
印刷データの解析を進め印字イメージを作成する。（S913）
印字イメージが作成されたら、印字イメージを印刷機構部104に送信し印刷を行う。（S914）
図10は本発明における請求項第18項の各手段を有する画像処理装置の動作を説明するフローチャートであり、印刷時に於けるコントローラボード201の動作を説明したものである。
【００４０】
コントローラボード201において印刷処理を開始する(S1001)
印刷データを解析し、(S1002)
その中に登録データがあれば、(S1003)
印刷データ内に機密情報指定があるかを確認する。(S1004)
印刷データ内に機密情報指定がされていたならば、登録データの格納先が暗号化されているかを確認する。(S1005)
登録先が暗号化されていなければ登録データを暗号化し、(S1006)
非暗号化領域に格納する。(S1007)
レンダリング時に暗号化された登録データを翻訳し使用し、(S1012)
印字イメージを作成する。（S1013）
印字イメージが作成されたら、印字イメージを印刷機構部104に送信し印刷を行う。（S1014）
暗号化されているならば、登録データを格納し印字データの解析を続け、（S1008）
印字イメージを作成する。（S1013）
印字イメージが作成されたら、印字イメージを印刷機構部104に送信し印刷を行う。（S1014）
印刷データ内に機密情報指定がされていなかったならば、暗号化されていない登録データの格納先があるかを確認する。(S1009)
あるならば、暗号化されていない格納領域に登録データを格納する。(S1010)
印刷データの解析を進め印字イメージを作成する。（S1013）
印字イメージが作成されたら、印字イメージを印刷機構部104に送信し印刷を行う。（S1014）
暗号化された格納領域しかないならば、暗号化された格納された格納領域に登録データを格納する。(S1011)
印刷データの解析を進め印字イメージを作成する。（S1013）
印字イメージが作成されたら、印字イメージを印刷機構部104に送信し印刷を行う。（S1014）
図11は本発明における請求項第19項の各手段を有する画像処理装置の動作を説明するフローチャートであり、印刷時に於けるコントローラボード201の動作を説明したものである。
【００４１】
コントローラボード201において印刷処理を開始する(S1101)
印刷データを解析し、(S1102)
一時的にハードディスクに退避するテンポラリデータがあれば、(S1103)
印刷データがセキュリティで管理されているBOXに格納されていたかを確認する。(S1104)
印字データがセキュリティで管理されているBOXに格納されていたならば、一時的にハードディスクに退避するテンポラリデータの格納先が暗号化されているかを確認する。(S1105)
登録先が暗号化されていなければ一時的にハードディスクに退避するテンポラリデータを暗号化し、(S1106)
非暗号化領域に格納する。(S1107)
テンポラリデータの使用時に暗号化されたテンポラリデータを翻訳して使用し、(S1112)
印字イメージを作成する。（S1113）
印字イメージが作成されたら、印字イメージを印刷機構部104に送信し印刷を行う。（S1114）
暗号化されているならば、ハードディスクに退避したテンポラリデータを格納し印字データの解析を続け、（S1108）
印字イメージを作成する。（S1113）
印字イメージが作成されたら、印字イメージを印刷機構部104に送信し印刷を行う。（S1114）
印刷データがセキュリティ管理されているBOXに格納されていなかったならば、暗号化されていない一時的にハードディスクに退避するテンポラリデータの格納先があるかを確認する。(S1109)
あるならば、暗号化されていない格納領域に一時的にハードディスクに退避するテンポラリデータを格納する。(S1110)
印刷データの解析を進め印字イメージを作成する。（S1113）
印字イメージが作成されたら、印字イメージを印刷機構部104に送信し印刷を行う。（S1114）
暗号化された格納領域しかないならば、暗号化された格納された格納領域に一時的にハードディスクに退避するテンポラリデータを格納する。(S1111)
印刷データの解析を進め印字イメージを作成する。（S1113）
印字イメージが作成されたら、印字イメージを印刷機構部104に送信し印刷を行う。（S1114）
図12は本発明における請求項第20項の各手段を有する画像処理装置の動作を説明するフローチャートであり、印刷時に於けるコントローラボード201の動作を説明したものである。
【００４２】
コントローラボード201において印刷処理を開始する(S1201)
印刷データを解析し、(S1202)
一時的にハードディスクに退避するテンポラリデータがあれば、(S1203)
印刷データ内に機密情報指定があるかを確認する。(S1204)
印刷データ内に機密情報指定がされていたならば、一時的にハードディスクに退避するテンポラリデータの格納先が暗号化されているかを確認する。(S1205)
登録先が暗号化されていなければ一時的にハードディスクに退避するテンポラリデータを暗号化し、(S1206)
非暗号化領域に格納する。(S1207)
テンポラリデータの使用時に暗号化されたテンポラリデータを翻訳して使用し、(S1212)
印字イメージを作成する。（S1213）
印字イメージが作成されたら、印字イメージを印刷機構部104に送信し印刷を行う。（S1214）
暗号化されているならば、ハードディスクに退避したテンポラリデータを格納し印字データの解析を続け、（S1208）
印字イメージを作成する。（S1213）
印字イメージが作成されたら、印字イメージを印刷機構部104に送信し印刷を行う。（S1214）
暗号化されているならば、一時的にハードディスクに退避するテンポラリデータを格納し印字データの解析を続け、（S1208）
印字イメージを作成する。（S1213）
印字イメージが作成されたら、印字イメージを印刷機構部104に送信し印刷を行う。（S1214）
印刷データ内に機密情報指定がされていなかったならば、暗号化されていない一時的にハードディスクに退避するテンポラリデータの格納先があるかを確認する。(S1209)
あるならば、暗号化されていない格納領域に一時的にハードディスクに退避するテンポラリデータを格納する。(S1210)
印刷データの解析を進め印字イメージを作成する。（S1213）
印字イメージが作成されたら、印字イメージを印刷機構部104に送信し印刷を行う。（S1214）
暗号化された格納領域しかないならば、暗号化された格納された格納領域に一時的にハードディスクに退避するテンポラリデータを格納する。(S1211)
印刷データの解析を進め印字イメージを作成する。（S1213）
印字イメージが作成されたら、印字イメージを印刷機構部104に送信し印刷を行う。（S1214）
（その他の実施例）
実施例１と実施例２の処理を操作パネルで切り替えることができるようにしても良い。
【図面の簡単な説明】
【００４３】
【図１】本発明を適用したＭＦＰの概略構造を示す断面図である。
【図２】図１に示したＭＦＰの制御ユニットの概略構成を示すブロック図である。
【図３】本発明の第１の実施形態における印刷処理を示すフローチャートである。
【図４】本発明の第1の実施形態における印刷処理を示すフローチャートである。
【図５】本発明の第1の実施形態における印刷処理を示すフローチャートである。
【図６】本発明の第1の実施形態における印刷処理を示すフローチャートである。
【図７】本発明の第１の実施形態における印刷処理を示すフローチャートである。
【図８】本発明の第1の実施形態における印刷処理を示すフローチャートである。
【図９】本発明の第2の実施形態における印刷処理を示すフローチャートである。
【図１０】本発明の第2の実施形態における印刷処理を示すフローチャートである。
【図１１】本発明の第2の実施形態における印刷処理を示すフローチャートである。
【図１２】本発明の第2の実施形態における印刷処理を示すフローチャートである。
【符号の説明】
【００４４】
１００  ＭＦＰ
１０１  ホストコンピュータ
１０４  印刷機構部
１２１  操作パネル
１２２  スキャナ
２０１  コントローラボード
２０２  ＣＰＵ
２０３  入力インタフェース部
２０４  スキャナインターフェイス
２０５  ＮＶＲＡＭ
２０６  ＲＯＭ
２０７  ＲＡＭ
２０９  出力インタフェース部
２１０  ハードディスク
５２３  モデム
【図１】
2008149631.tif 000003
【図２】
2008149631.tif 000004
【図３】
2008149631.tif 000005
【図４】
2008149631.tif 000006
【図５】
2008149631.tif 000007
【図６】
2008149631.tif 000008
【図７】
2008149631.tif 000009
【図８】
2008149631.tif 000010
【図９】
2008149631.tif 000011
【図１０】
2008149631.tif 000012
【図１１】
2008149631.tif 000013
【図１２】
2008149631.tif 000014